(57)【要約】【課題】構成が簡単で本体部から開閉部が外れないようにとする。しかも雨水に対する防水性に優れている内照式看板装置を提供する。【解決手段】本体部１０と、開閉部２０と、開閉部２０に設けられる表示シート２９とからなる。本体部１０の本体上枠１１ａと、開閉部２０の開閉部上枠２１に互いに係合部１２，２２を設けて本体部１０に対して開閉部２０を回転させることで開閉可能とする。その閉時に、開閉部上枠２１は本体上枠１１ａに密着するように係合される。開閉部上枠２１の上部には上カバー板２３がビス２８’により装着され、開閉部２０の開時に、係合部１２，２２が外れないように本体上枠１１ａに補助枠１３が設けられる。補助枠１３と上カバー板２３との間に弾性止水材１４が配置される。【選択図】  図１
2005031319.tif 000002
【特許請求の範囲】
【請求項１】
本体部１０と、開閉部２０と、該開閉部２０に設けられる表示シート２９とからなる内照式看板装置２において、上記本体部１０の本体上枠１１ａと、開閉部２０の開閉部上枠２１に互いに脱着可能に係合部１２，２２を設けて本体部１０に対して上記開閉部２０を回転させることで開閉可能とし、上記開閉部上枠２１の上部には上カバー板２３が装着され、該上カバー板２３は上記係合部１２，２２の上部を覆うように配置されると共に、その閉時に上記開閉部上枠２１は本体上枠１１ａに係合され、その開時に上記係合部１２，２２が外れないように上記本体上枠１１ａに補助枠１３が設けられ、該補助枠１３と上記上カバー板２３又は開閉部上枠２１との間に弾性止水材１４が配置されることを特徴とする内照式看板装置。
【請求項２】
前記本体上枠１１ａの前端縁１１ｂが上記補助枠１３に形成された係合凹部１３ａに係合されていることを特徴とする請求項１記載の内照式看板装置。
【請求項３】
上記補助枠１３は上カバー板２３に対して進退可能に本体上枠１１ａに設けられることを特徴とする請求項１又は請求項２記載の内照式看板装置。
【請求項４】
上記本体上枠１１ａ側の係合部１２は、本体上枠１１ａにおいて上方に開部を有し且つその前部に略水平で折返し状の突片１２ａが形成される幅広Ｕ字形とされ、上記開閉部２０側の係合部２２は、前記突片１２ａを上方から覆う略Ｌ形で端部が下方に突出する係止突片２２ａを開閉部上枠２１に具備させることを特徴とする請求項１乃至請求項３記載のいずれかの内照式看板装置。
【発明の詳細な説明】
【０００１】
【発明が属する技術分野】
本発明は、建物の壁面取り付け用の内照式看板装置に関するものである。
【０００２】
【従来の技術】
店舗等の建物躯体に装着される内照式看板装置（表示面背部に照明具を配置したもの）は、例えば下記の特許文献１に開示されている。この従来技術にかかる内照式看板装置は、本体部と開閉（表示）部とからなるものであって、両部の上フレーム同士を係合させることで本体部に対して開閉部を開閉可能としたものである。
【０００３】
しかし、このような装置においては、開閉部を開くときに本体部から開閉部が外れて不測の事態が発生することがあり、開閉時にも分離不可（外れ止め）状態のものが求められている。そこで、外れ止め手段を施したものとして、円曲面状嵌合溝に対して係止部材を設けて抜け止め不可とする技術も開発されている（特許文献２参照）。
【０００４】
しかしながら、上記内照式看板装置では、その開閉部の回転係合部が外部に露出しているなど、水の浸入についてあまり考慮されていない。そして、水の浸入の際には水といっしょに埃やゴミ等が上記回転係合部及び装置内に入り易く、装置内部の汚れ、さらには内部構造体に錆等が発生する可能性がある。特に表示面にＦＦシートを使用し、開閉部を有する内照式看板装置では内部に浸入した水に起因するＦＦシートの汚れ（カビ等）が問題となっている。
【０００５】
【特許文献１】特開平１１−１４３４０８号公報
【０００６】
【特許文献２】特開平１１−１４９２６７号公報
【０００７】
【発明が解決しようとする課題】
したがって、本発明の課題は、装置の構成が簡単で本体部と開閉部とが外れないようにした内照式看板装置であって、しかも雨水に対する防水性に優れている内照式看板装置を提供することにある。特に、開閉部位内部への水の浸入を抑制する機構を有する内照式看板装置を提供することにある。
【０００８】
【課題を解決するための手段】
上記課題を達成するために、本発明は下記の手段を講じた。
請求項１記載の内照式看板装置は、本体部１０と、開閉部２０と、該開閉部２０に設けられる表示シート２９と、からなる内照式看板装置２において、上記本体部１０の本体上枠１１ａと、開閉部２０の開閉部上枠２１に互いに脱着可能に係合部１２，２２を設けて本体部１０に対して上記開閉部２０を回転させることで開閉可能とし、上記開閉部上枠２１の上部には上カバー板２３が装着され、該上カバー板２３は上記係合部１２，２２の上部を覆うように配置されると共に、その閉時に上記開閉部上枠２１は本体上枠１１ａに係合され、その開時に上記係合部１２，２２が外れないように上記本体上枠１１ａに補助枠１３が設けられ、該補助枠１３と上記上カバー板２３又は開閉部上枠２１との間に弾性止水材１４が配置されることを特徴とする。
請求項２記載の内照式看板装置は、請求項１記載の内照式看板装置において、前記本体上枠１１ａの前端縁１１ｂが上記補助枠１３に形成された係合凹部１３ａに係合されていることを特徴とする。
かかる特徴により、本体部１０の上部にその長さに対応する、ゴム材等からなる弾性止水材１４を配置し、本体部１０と開閉部２０の嵌合部を全長に渡って覆うことで、雨水が一番浸入すると考えられる嵌合部の上部からの浸入を抑制することができる。
更に、上カバー板２３は開閉部上枠２１とは別体であることから開閉部２０の取付が容易であり，且つ、補助枠１３も本体上枠１１ａと別体であるばかりでなく、補助枠１３に形成された係合凹部１３ａを介して本体上枠１１ａに確実に係合されていることから、全体として製造が容易であるにもかかわらず構造的に安定的であり、表示シート２９の支持構造が簡易化されたシート看板装置が得られる。
【０００９】
また、請求項３記載の内照式看板装置は、請求項１又は請求項２記載の内照式看板装置において、上記補助枠１３は上カバー板２３に対して進退可能に本体上枠１１ａに設けられることを特徴とする。
かかる特徴により、補助枠１３の位置を適宜設定することで、補助枠１３と上カバー板２３との係合を確実にし、且つ、止水を確実にすることができる。
また、請求項４記載の内照式看板装置は、請求項１乃至請求項３記載のいずれかの内照式看板装置において、上記本体上枠１１ａ側の係合部１２は、本体上枠１１ａにおいて上方に開部を有し且つその前部に略水平で折返し状の突片１２ａが形成される幅広Ｕ字形とされ、上記開閉部２０側の係合部２２は、前記突片１２ａを上方から覆う略Ｌ形で端部が下方に突出する係止突片２２ａを開閉部上枠２１に具備させることを特徴とする。
かかる特徴により、両係合部１２，２２に埃や雨水が侵入し難く、この部分の耐久性が向上する。
なお、上記手段の説明において理解を容易にするために図面符号を付したが、本発明の手段は図面に記載した実施形態に限定されるものではない。
【００１０】
【発明の実施の形態】
以下、本発明の実施形態について図面を用いて説明する。図１は該実施形態にかかる内照式看板装置の要部拡大図、図２はその内照式看板装置の縦断面図、図３はその部分説明図である。
（全体構成）
図２に示すように、本内照式看板装置２は上下方向に所定の長さ（高さ）と厚味（幅）を有し、建物の躯体１の側面上部に装着される。
【００１１】
また、内照式看板装置２は、躯体１側に装着される本体部１０と該本体部１０に開閉可能に装着される開閉部２０と、表示シート２９からなる。
先ず、躯体１に直接取り付けられる本体部１０について説明する。
本体部１０は、図２に示すように所定高さと所定幅に形成され、躯体１側面に装着される背面板４と、該背面板４を固定する本体枠１１と、該本体枠１１内にボルトにて固定される縦補強材１６と、該縦補強材１６の上下端部に一体に設けられる横補強材１７と、該横補強材１７にボルト１８で取り付けられる本体上枠１１ａと本体下枠１５とを具備する。前記本体枠１１は、本体上枠１１ａと本体下枠１５とそれらの両端部に配置される本体縦枠（図示せず）とからなる。また、上記縦補強材１６には照明具３が装着され、上記本体上枠１１ａの上部には、補助枠１３がビス１９により前後に進退位置設定可能に装着される。
また、本体上枠１１ａの開閉部２０側（前部側）は、上方に開部を有し且つその前部に形成される湾曲部を介して水平で後方（躯体１側）に向けて折返し状の突片１２ａが形成される幅広Ｕ字形の係合部１２が形成される。
【００１２】
本体上枠１１ａの上部に配置される補助枠１３は、長方形の略平板状物からなり、本体上枠１１ａの上部前端部に沿って配置される。この補助枠１３の前部下面にはゴム、合成樹脂等のいずれかから構成される弾性止水材１４が取付溝部（符号なし）を介して装着されると共に、この補助枠１３の後部には幅（前後）方向に長いビス孔（図示せず）が形成される。なお、ビス孔は単なる丸孔であってもよい。このこの補助枠１３は、後述する開閉部２０側の係合部を構成する係止突片２２ａが突片１２ａから抜け出て外れないように配置される。この抜け出て外れない構成については後述する。
また、上記補助枠１３の下部に躯体１側に開く横向き凹部形状からなる係合凹部１３ａが形成され、前記本体上枠１１ａの前端縁１１ｂに係合されるように構成される。この構成により、補助枠１３の本体上枠１１ａに対する位置合わせが容易になるばかりでなく、補助枠１３は本体上枠１１ａに強固に装着されることになる。
【００１３】
次に、本体部１０に取り付けられる開閉部２０について説明する。
上記開閉部２０は、図１，２に示すように、本体部１０の外側に回動して開閉可能に装着・固定される。開閉部２０はその骨格となる開閉部上枠２１、開閉部下枠２４、両端部の縦枠（図示せず）からなり、開閉部上枠２１と開閉部下枠２４との間には縦補強材２６がボルト２８により固定されて配置されると共に、開閉部上枠２１の上部には、上シート押え２５、及び、上カバー板２３が付設される。上カバー板２３は、開閉部上枠２１の上面全体を覆うように略方形状に形成され、その後端部（本体部２０側）は、その本体部２０への装着後の状態において、本体部１０側の上カバー板後端部２３ａが本体部１０に近接する位置で且つ補助枠１３の下部まで延設されるように、ビス２８’により開閉部上枠２１に装着される。また、上カバー板２３の前端部は下方に折り曲げられて水切端２３ｂが構成されている。また、上記開閉部２０側の係合部２２は、前記突片１２ａを上方から覆う略Ｌ形で端部が下方に突出する係止突片２２ａを開閉部上枠２１に具備させる。なお、開閉部上枠２１における上記係止突片２２ａの前部位置にはアール部２２ｂが形成される。そして、前記係止突片２２ａが突片１２ａに係合される。
図３に示すように、前記係止突片２２ａの高さは、該高さに上カバー板２３の厚みを加えた長さＡが、本体部１０側の突片１２ａと補助枠１３との隙間Ｂより大となるように形成される。この構成により、開閉部２０を開状態としても、本体部１０から開閉部２０が外れることはない。なお、上カバー板２３の延設された後端部２３ａの代わりに、開閉部上枠２１の後端部を係止突片２２ａの近傍から水平に延設させてもよい。そして、この場合は、弾性止水材１４は、開閉部上枠２１の後端部の上面に当接することになる。
また、開閉部下枠２４の下部には、下シート押え２５ａ、及び、下カバー板２７が付設される。また、表示シート２９は、その上縁が上シート押え２５により、また、下縁が下シート押え２５ａにより、それぞれ開閉部２０の前面に張られる。
【００１４】
次に、本装置の設置について説明する。
本内照式看板装置２の設置に当っては、先ず躯体１の外壁面に対して、縦補強材１６を用いて本体部１０を装着する。そして、この本体部１０内には、照明具３を装着すると共に、一方では、開閉部２０の前面（表示側）に対して表示シート２９の取り付け（張り付け）を行う。
【００１５】
次に、本体部１０に対する開閉部２０の取り付けを行う。この取り付けでは、本体部１０側の突片１２ａに、開閉部２０側の係止突片２２ａを係合させ、図２に示すように、開閉部２０を回転させながら（符号２３’参照）、本体部１０の前面に当接させ、本体下枠１５に対して開閉部下枠２４をボルト３０により固着することで、本体部１０に対して開閉部２０を一体化する。その後、開閉部上枠２１にはその上部に上カバー板２３を装着し、開閉部下枠２４にはその下部に下カバー板２７を装着する。そして、最後に、補助枠１３をその下部の係合凹部１３ａが本体上枠１１ａの前端縁１１ｂに係合するようにして本体上枠１１ａに配置し、補助枠１３の本体上枠１１ａに対する前後位置を調整して位置を特定した段階で、ビス１９を用いてその装着する。
【００１６】
本発明の上記実施形態は、上記構成により、本体部１０に対して開閉部２０を開閉するときに、分離不可（外れ止め）状態であるから、本体部１０から開閉部２０が外れるという不測の事態の発生を予防できる。そして、更に補助枠１３及びその弾性止水材１４により、内照式看板装置２内への水の浸入がなく、埃やゴミ等が装置内に入ることがないから、装置内部の汚れ、内部構造体の錆、表示シートの汚れ（カビ等）等が発生しない。
【００１７】
【発明の効果】
本発明は、上記構成により、本体部上部にその長さに対応する、ゴム材等からなる弾性止水材を配置し、本体部と開閉部の係合部を全長に渡って覆うことにより、水が一番浸入すると考えられる嵌合部の上部から雨水の浸入を抑制することができる。また、上カバー板２３により、回転・係合する係合部が露出しないから、回転部を保護しホコリの進入を阻止する。また、この上カバー板２３の取り付けは、開閉部２０上部の意匠性を良くするという効果もある。また、全体として、構造的に安定し、表示シートの支持が簡略化されたシート看板装置が得られる。
【図面の簡単な説明】
【図１】本発明の実施形態に係る内照式看板装置の要部拡大図。
【図２】同内照式看板装置の縦断面図。
【図３】同内照式看板装置の部分説明図。
【符号の説明】
１・・躯体  ２・・内照式看板装置  ３・・照明具  ４・・背面板
１０・・本体部  １１・・本体枠    １１ａ・・本体上枠
１１ｂ・・（本体上枠の）前端縁  １２・・係合部    １２ａ・・突片
１２ｃ・・ウエブ  １３・・補助枠    １３ａ・・（補助枠の）係合凹部
１４・・弾性止水材  １５・・本体下枠
１６・・縦補強材  １７・・横補強材    １８・・ボルト  １９・・ビス
２０・・開閉部  ２１・・開閉部上枠
２２・・係合部  ２２ａ・・係止突片  ２２ｂ・・アール部
２３・・上カバー板    ２３’・・（開位置にある）上カバー板
２３ａ・・上カバー板後端部    ２３ｂ・・上カバー板水切端
２４・・開閉部下枠  ２５・・上シート押え  ２５ａ・・下シート押え
２６・・縦補強材  ２７・・下カバー板  ２８・・ボルト  ２８’・・ビス
２９・・表示シート  ３０・・ボルト
【図１】
2005031319.tif 000003
【図２】
2005031319.tif 000004
【図３】
2005031319.tif 000005